(57)【要約】      （修正有）【課題】印面部を付け替えることによって多種類の印影を捺印できるようにする、印面部の付け替えを容易にできるようにする、印面部の付け替えによって単語や短文を文字で表わしたりストーリーを完成させたりできるようにする、更に飽きたり退屈させたりさせることなく楽しみながら文字に接しさせるようにする、等を可能にするスタンプを提供する。【解決手段】握り部を有する一つのスタンプ本体部とスタンプ本体部の底面にそれぞれが着脱部を介して固定される二つ以上の印面部とから構成され、着脱部は、差込孔と差込孔に差込む差込ピンとから構成され、手指による差込み操作によって印面部を固定しうるようにされ、手指による押し外し操作によって印面部を外しうるようにされ、且つ印面部は、その固定する位置及び向きを任意に選択してスタンプ本体部に固定しうるようにされた。【選択図】図３
0003102990.tif 000002
【実用新案登録請求の範囲】
【請求項１】
握り部を有する一つのスタンプ本体部と、当該スタンプ本体部の底面にそれぞれが着脱部を介して固定される二つ以上の印面部とから構成され、前記着脱部は、手指による差込み操作によって前記印面部を固定しうるようにされ、手指による押し外し操作によって前記印面部を外しうるようにされ、且つ前記印面部は、任意の固定位置に選択して固定しうるようにされたことを特徴とするスタンプ。
【請求項２】
前記印面部は、その固定する向きを任意に選択して固定しうるようにされたことを特徴とする請求項１記載のスタンプ。
【請求項３】
前記着脱部は、差込孔と当該差込孔に差込む差込ピンより構成されたことを特徴とする請求項１または２記載のスタンプ。
【請求項４】
前記差込ピンの頂端部は、前記手指による押し外し操作の押出し用突起として機能するようにされたことを特徴とする請求項１〜３のうちのいずれか一つの請求項記載のスタンプ。
【請求項５】
前記印面部は、偶数本の差込ピンの差込により固定しうるようにされたことを特徴とする請求項１〜４のうちのいずれか一つの請求項記載のスタンプ。
【請求項６】
前記印面部は、その逆文字等印面が視認しえない状態になった場合でも他の方向からは視認しうる個所に前記印面の印影を表わす補助表示部を有することを特徴とする請求項１〜５のうちのいずれか一つの請求項記載のスタンプ。
【考案の詳細な説明】
【技術分野】
【０００１】  本考案は、幼児が手軽に利用することができるスタンプに関する。
【背景技術】
【０００２】  日常生活においては、用途に応じた多種多様なスタンプが使用されている。例えば文字や記号、キャラクター、図形等が刻印されている幼児用のスタンプ、十二支の干支等が刻印されている年賀はがき用スタンプ等がある。これらスタンプは、誰でも手軽に使用することができることから広い範囲での需要がある。【０００３】  前記各スタンプは、一般に、握り部を有するスタンプ本体部と当該スタンプ本体部の底面に着脱不能に接着されているゴム製の印面部から構成されている。【０００４】  しかしながら、前記スタンプは、捺印操作によって、印面部の印面による一つの決まった印影しか得ることができないと言う致命的な欠陥があった。【０００５】  そこで、多数種の印面を得ることができる回転印等が提供されているが、当該回転印は、比較的高価であり、その印面部は、幼児が簡単に交換できるようにはなっていなく、幼児には向いていない。【０００６】  一方、幼児にとっては、楽しみながら、単語や短文を文字で表わしたり、ストーリーを完成させたりできるようになることは望ましい。【０００７】  さらに、幼児にとっては、飽きが来たり、退屈さを感じたりしない興趣のあるものが望ましい。【０００８】  なお、本願出願人は、先行技術を調査したが、関連する先行技術文献を見出すことができなかった。
【考案の開示】
【考案が解決しようとする課題】
【０００９】  本考案は、前記のような実情に鑑み、鋭意検討の結果なされたもので、１）印面部を任意に付け替えることで多数種の印影を得ることができる、２）印面部の付け替えは幼児にも簡単にできる、３）印面部の付け替えによって単語や短文を文字で表わしたりストーリーを完成させたりすることができる、４）飽きたり退屈させたりさせることなく楽しみながら文字に接しさせることができる、等を可能にする新規のスタンプを提供することを目的とする。
【課題を解決するための手段】
【００１０】  上記目的を達成するために、請求項１に係るスタンプにあっては、握り部を有する一つのスタンプ本体部と、当該スタンプ本体部の底面にそれぞれが着脱部を介して固定される二つ以上の印面部とから構成され、前記着脱部は、手指による差込み操作によって前記印面部を固定しうるようにされ、手指による押し外し操作によって前記印面部を外しうるようにされ、且つ前記印面部は、任意の固定位置に選択して固定しうるようにされたことを特徴とする。【００１１】  したがって、請求項１に係るスタンプによる場合には、印面部を付け替えることで多数種の印影を容易に得ることができる。また当該印面部の付け替えは、幼児にも可能な差込み操作及び押し外し操作で簡単に行うことができる。また請求項１に係るスタンプは、前記印面部の付け替えによって幼児が考えた単語や短文を文字で表わすことができ、しかも幼児は、自分で考えた文と同じになるように印面部の付け替えを行うことによって自分で考えたストーリーのある印影を得ることができる。【００１２】  請求項２に係るスタンプにあっては、前記印面部は、その固定する向きを任意に選択して固定しうるようにされたことを特徴とする。【００１３】  したがって、請求項２に係るスタンプは、縦書き、横書き及びこれら縦、横書きの混在した単語や短文等の印影を容易に得ることができる。【００１４】  請求項３に係るスタンプにあっては、前記着脱部は、差込孔と当該差込孔に差込む差込ピンより構成されたことを特徴とする。【００１５】  したがって、請求項３に係るスタンプおいて印面部は、幼児にも可能な差込み操作及び押し外し操作によって、簡単に付け替えることができる。【００１６】  請求項４に係るスタンプにあっては、前記差込ピンの頂端部は、前記手指による押し外し操作の押出し用突起として機能するようにされたことを特徴とする。【００１７】  したがって、請求項４に係るスタンプにおいて前記差込ピンは、印面部の固定機能と押し外し機能の二役を一つで果すことができる。また、この請求項４に係るスタンプは、印面部の外し操作の時には、印面に付着したインクに手指を直接触れさせることなく当該印面部を外すことができる。【００１８】  請求項５に係るスタンプにあっては、前記印面部は、偶数本の差込ピンの差込により固定しうるようにされたことを特徴とする。【００１９】  したがって、請求項５に係るスタンプは、印面部の位置合わせを容易に行うことができるのみならず当該印面部がスタンプ本体部に固定された状態において、その向きが不用意に変わってしまったり、抜け落ちてしまったり、間隔が不揃いになってしまったりすることを少なからず解消できる。【００２０】  請求項６に係るスタンプにあっては、前記印面部は、その逆文字等印面が視認しえない状態になった場合でも他の方向からは視認しうる個所に前記印面の印影を表わす補助表示部を有することを特徴とする。【００２１】  したがって、請求項６に係るスタンプは、その逆文字等印面が下向きになるようにされたために、これを使用者が上方向若しくは斜め上方向から視認しえないような状態になってしまった場合でも、その使用者は前記補助表示部を見て簡単に逆文字等印面が何であるかを想知することができるようになって便利であるのみならず前記印面部は、これをスタンプ本体に取付ける等の場合には、間違った文字を取付けてしまわうような事態を解消することができるようになって好都合である。
【考案の効果】
【００２２】  本考案に係るスタンプは、前記の通りであるので、幼児でも手指を汚すことなく印面部を任意に付け替えることによって多数種の印影を容易に得ることができる。また、幼児自身が行う印面部の付け替えによって、幼児が考えた自由な発想の単語や短文を文字で表わすことができると共に、当該単語や短文を文字で表わすことによって幼児が考えたストーリーを完成させたりすることができるのみならず、これらによって手先の訓練、大脳の発達に寄与できる。さらに、飽きたり退屈させたりさせることなく楽しみながら文字に接しさせることができる。しかも二役を果す部分を有していて構成が簡易でコスト的にも有利である。また印面部は、偶数本の差込ピンにより固定するように構成された場合には動かないように確実に且つ簡単に固定でき、前記トラブルを発生しないようにすることができる。さらに前記補助表示部によって逆文字等印面が何であるかを想知することができ、付け間違いを解消できる。
【考案を実施するための最良の形態】
【００２３】  図１〜図８は、本考案の第１実施の形態に係るスタンプ１を示すものである。図１は全体を示す斜視図であり、図２は同じく分解斜視図であり、図３は使用の形態にする過程を示す斜視図であり、図４は図３Ａ−Ａ線に沿う断面図であり、図５は図３Ｂ−Ｂ線に沿う断面図であり、図６は図３Ｃ−Ｃ線に沿う断面図であり、図７は多数個の印面部を並べた集合状態で示す底面図、図８は同じく平面図である。【００２４】  前記第１実施の形態に係るスタンプ１は、前記図１〜図８に示すように、握り部２を有する一つのスタンプ本体部３と、当該スタンプ本体部３の底面に着脱部４を介して固定される多数個の印面部５から構成され、また、前記着脱部４は、手指による差込み操作によって印面部５をスタンプ本体部３の底面に固定しうるようにされ、手指による押し外し操作によってスタンプ本体部３の底面から印面部５を外しうるように構成されている。【００２５】  前記着脱部４は、具体的には前記図１〜図６に示すように、スタンプ本体部３の上下面に貫通する差込孔６と当該差込孔６に差込む差込ピン７によって構成され、前記差込ピン７は、差込孔６に差込まれたときにはその先端部が同差込孔６の上端から突出する長さにされている。当該突出先端部は、前記手指による押し外し操作の時には押出し用突起８として機能する。したがって、スタンプ本体部３の底面から印面部５を外す操作において、当該押出し用突起８の頂端を手指で押し込んだ場合には、容易に印面部５を外すことができる。このように前記差込ピン７は、印面部５を固定する機能と押し外し操作を容易にする機能の二役を果して構成を簡略にしている。【００２６】  前記スタンプ本体部３は、硬質プラスチックにより成型され、細幅長方形横向き板状部９と当該細幅長方形横向き板状部９の上面に一体に立設された縦向き板状の握り部２から構成されると共に前記長方形横向き板状部９の一方長手縁に沿う線上に多数個の前記差込孔６が等間隔配置に穿設され、また前記細幅長方形横向き板状部９の他方長手縁部の下面に前記印面部５の並び状態を整える当接用突条１０が突設されている。なお、前記硬質プラスチックの代りに、透明プラスチック、分解性プラスチック、燃焼時にダイオキシンを出さないプラスチック、その他硬質材料を用いることができる。【００２７】  また、前記印面部５は、僅かの弾性を備えた軟質プラスチックにより成型され、正方形横向き板状部１１と当該正方形横向き板状部１１の下面に一体に突設された逆文字の印面１２から構成されると共に前記正方形横向き板状部１１の左右隅個所の上面に前記差込ピン７が左右一対配置で設けられ、さらに前記正方形横向き板状部１１の上面には前記逆文字印面１２が視認しえない状態になった場合でも他の方向からは視認しうる状態で前記印面１２の印影を表わす補助表示部１３が設けられている。なお、前記印面部５は、逆文字印面１２が一体成形により設けられているが、ゴムで別に製造して貼り付ける方法によって設けてよい。また、前記印面部５は、前記軟質プラスチック以外のプラスチック例えば硬質プラスチックで、若しくはスポンジ材でもよく、さらにインクを吸蔵させて提供できる材料でも実施できる。【００２８】  前記各差込ピン７の設け位置及び設け間隔並に設け本数は、実施においては自由に決定することができるが、この場合、前記スタンプ本体部３に対して取付けられた前記印面部５が、不用意にその向きが変わってしまったり、抜け落ちてしまったり、間隔が不揃いになってしまったりする等のトラブルを惹起しないようにする必要がある。【００２９】  因みに、本第１実施の形態に係るスタンプ１は、印面部に２本の差込ピンを設けることで印面部５が同じ方向に向いた状態にしか固定できないようにしてある。これは、差込み向きの間違いを惹起し易い年少の幼児に向くようにするためでもある。【００３０】  なお、図７は、多数の印面部を並べた集合状態を底面側から見た状態で示し、また図８は、同じく多数の印面部を並べた集合状態を上面側から見た状態で示てあるが、これら印面部の個数は、任意に増減することができる。この場合、短文の作成に数多く使用しそうな文字を特に多くすることが、短文やストーリーの作成に有利である。また、スタンプ本体に印面部を固定する個所を多くすることも、同様に短文やストーリーの作成に有利である。【００３１】  前記第１実施の形態に係るスタンプ１は、例えば次のように使用される。【００３２】  すなわち、「あいうえおか」を横一列の印影として得たい場合には、先ず「あ」「い」「う」「え」「お」「か」の印面をもつ前記印面部５を選出し、これら選出した各印面部５を図１〜図６に示すように、差込ピン７を差込孔６に差込むことによりスタンプ本体部３に取付けて捺印前の準備を完了し、しかる後にこれを従前のスタンプと同じように、別途用意したスタンプ台（図示せず）を利用して捺印すればよい。【００３３】  また、別の横一列の印影を得たい場合には、前記印面部５を適宜取り替えることによって簡単に得ることができる。この適宜取り替え操作において、スタンプ本体部３から印面部５を外す場合には、押出し用突起８として機能する差込ピン７の頂端部を手指で押し込むことにより容易に外すことができて便利である。【００３４】  なお、好ましくは、差込ピン７の頂端部分の太さを差込孔６の径よりもやや細くして、途中まで押し出したところで自然に落ちるようにすることが望ましい。このようにした場合には差込ピン７を差込孔６に挿し込み始めるときにも簡単になって有利である。【００３５】  次いで、図９〜図１１に示す本考案の第２実施の形態に係るスタンプ２１について説明する。図９は全体を示す底面図であり、図１０は図９Ｄ−Ｄ線に沿う断面図であり、図１１は他の使用の形態を示す底面図である。この第２実施の形態に係るスタンプ２１は、図１０に示すように、握り部２２を有する一つのスタンプ本体部２３と、当該スタンプ本体部２３の底面に前記第１実施の形態に係るスタンプ１と同様の着脱部４を介して固定される多数個の印面部２５から構成されている。【００３６】  前記スタンプ本体部２３は、硬質プラスチックにより成型され、広幅の長方形横向き板状部２９と当該広幅長方形横向き板状部２９の上面に一体に立設された縦向き板状の握り部２２から構成されると共に前記広幅長方形横向き板状部２９に多数個の差込孔６が穿設されている。これら差込孔６の位置は、縦横が等間隔にされた格子線の各交点個所��してある。【００３７】  また、前記印面部２５は、僅かの弾性を備えた軟質プラスチックにより成型され、正方形横向き板状部３１と当該正方形横向き板状部３１の下面に一体に突設された逆文字の印面３２から構成されると共に前記正方形横向き板状部２９の上面に前記差込ピン７が左右一対配置で設けられている。【００３８】  本考案は、差込ピンの２本を対角線上配置に設けたり、４本を正方形配置に設けたりすることでも、印面部２５の縦向き／横向きを任意に選択して固定しうるようにすることができる。これは差込孔の設け位置の縦横間隔及び差込ピンの設け位置の縦横間隔が等しくなっていることによって可能にされている。【００３９】  また、前記印面部５、２５は、絵文字、図柄、数字、記号等の印面をもつもので実施することができ、また、大きさを２倍サイズ、４倍サイズ等のように倍サイズにしたり、半サイズ、１／３サイズ等のように小サイズにしたり、形を三角、五角等多角形、円形あるいは花、動物、雲等のような異形にしたりすることができる。このようにすることは、幼児を飽きさせない、退屈させないためにも有効であるのみならず大きなあるいは小さな文字や図柄を含む印影を得るのに好都合であり、しかも、大きいサイズの印面部には前記差込ピン７の本数を多くしたり少なくしたりして難易度に差をもたせることができる。【００４０】  前記第２実施の形態に係るスタンプ２１は、例えば次のように使用される。【００４１】  すなわち、例えば、「あけまして  おめでとう  ことしも  よろしく」を縦四列の印影として得たい場合には、先ず「あ」「け」〜「し」「く」の印面をもつ前記印面部２５を選出し、これら選出した各印面部２５を図９に示すように、スタンプ本体部２３に取付けて捺印前の準備を完了し、しかる後にこれを通常のスタンプと同じように、別途用意したスタンプ台を利用して捺印すればよい。【００４２】  また、「あけまして  おめでとう  ことしも  よろしく」を横四列の印影として得たい場合には、図１１に示すように前記印面部２５を適宜挿し替えることによって簡単に得ることができる。この適宜取り替え操作において、スタンプ本体部２３から印面部２５を外す場合には、前記第１実施の形態に係るスタンプ１と同じように、差込ピン７の頂端部を手指で押し込むことによって容易に外すことができる。【００４３】  なお、本考案は、差込ピンを角筒形状に、また当該差込ピンの差込孔を角型孔にすることができる。このようにされた場合には、印面部には１本の太目の差込ピンを設けるだけで、前記のトラブルを解消することができる。しかも差込ピンが角筒形状にされているので成形時の冷却時間は長くなることがなく、生産性の低下を招くことがなくなり、極めて好適である。
【図面の簡単な説明】
【００４４】
【図１】本考案の第１実施の形態を示す斜視図である。
【図２】同じく分解斜視図である。
【図３】使用の形態にする過程を示す斜視図である。
【図４】図３Ａ−Ａ線に沿う断面図である。
【図５】図３Ｂ−Ｂ線に沿う断面図である。
【図６】図３Ｃ−Ｃ線に沿う断面図である。
【図７】印面部を多数個並べた集合状態で示す底面図である。
【図８】同じく平面図である。
【図９】本考案の第２実施の形態を示す底面図である。
【図１０】図９Ｄ−Ｄ線に沿う断面図である。
【図１１】他の使用の形態を示す底面図である。
【符号の説明】
【００４５】  １  第１実施の形態に係るスタンプ
２  握り部
３  スタンプ本体部
４  着脱部
５  印面部
６  差込孔
７  差込ピン
８  押出し用突起
９  細幅長方形横向き板状部
１０  当接用突条
１１  正方形横向き板状部
１２  逆文字の印面
１３  補助表示部
２１  第２実施の形態に係るスタンプ
２２  握り部
２３  スタンプ本体部
２５  印面部
２９  広幅長方形横向き板状部
３１  正方形横向き板状部
３２  逆文字の印面
【図１】
0003102990.tif 000003
【図２】
0003102990.tif 000004
【図３】
0003102990.tif 000005
【図４】
0003102990.tif 000006
【図５】
0003102990.tif 000007
【図６】
0003102990.tif 000008
【図７】
0003102990.tif 000009
【図８】
0003102990.tif 000010
【図９】
0003102990.tif 000011
【図１０】
0003102990.tif 000012
【図１１】
0003102990.tif 000013